(57)【特許請求の範囲】
【請求項１】
床カバー（２）の形状部が設けられている縁（１）を、前記床カバーを画定する形状構成（３）に取り外し可能に取り付ける装置であって、
前記形状構成は、傾斜したステップ形状（７）を含むステップ段鼻形状（３）とステップ（８）に取り付けられることができる基礎形状（９）とであって、
前記傾斜したステップ形状（７）は、カバーウィング（１１）を含むステップ脚（１０）と前記基礎形状の先端縁から延びる止め脚（１２）とを有し、
前記装置はさらに、形状レールとして構成されている互換インサート（４）であって、前記形状構成（３）から取り外し可能に及び前記形状構成（３）に対して適当な位置に調整可能に配置された互換インサート（４）を備え、
前記互換インサートの二つの互いに向き合う長手方向の縁の少なくとも一つに保持器（６）が構成されて、前記保持器（６）は前記床カバー（２）の前記縁（１）の前記形状部（５）と係合し、
前記保持器は、前記形状部（５）と少なくとも部分的に補完するように構成され、
前記互換インサート（４）は、少なくとも一つ支持リブ（１５）を備えて、前記支持リブはその自由支持縁（１６）にロック係合（１７’）を有し、前記ロック係合（１７’）は前記基礎形状（９）の対応するロック係合（１７’’）と係合する、
ことを特徴とする装置。
【請求項２】
前記互換インサート（４）は前記ステップ脚（１０）と前記基礎形状（９）との間に完全に又は部分的に配置されて、前記互換インサートの二つの互いに向き合う長手方向の前記縁にさねはぎのさまざまな形状部に使用されるさまざまな部材を有する、
ことを特徴とする請求項１に記載の装置。
【請求項３】
前記互換インサート（４）はロック（１３）によって前記形状構成（３）に保持されている、
ことを特徴とする、請求項１又は２のいずれかに記載の装置。
【請求項４】
前記互換インサート（４）は、前記補完的保持器（６）の領域に、前記基礎形状（９）及び前記ステップ脚（１０）の少なくとも一つに対してアンカー（１８）を有し、前記アンカーは前記ロックの一部である、
ことを特徴とする、請求項３に記載の装置。
【請求項５】
前記支持リブ（１５）は、水平の力を吸収するために使用されるウェブ（１４）を有し、前記ウェブ（１４）には前記補完的保持器（６）が結合されている、
ことを特徴とする請求項４に記載の装置。
【請求項６】
前記互換インサート（４）はアルミニウム又はプラスチック材料から連続鋳造の形状として製造される、
ことを特徴とする請求項１乃至５のいずれか一つに記載の装置。
【請求項７】
前記形状部（５）は、さねはぎ（１９）として構成されて、さねはぎ面（２０）に対して顕著である少なくとも一つの突出部（２１）を有する、又は溝（２２）を有する、
ことを特徴とする請求項１乃至６のいずれか一つに記載の装置。
【請求項８】
前記補完的保持器（６）は、前記さねはぎ（１９）を上方へ取り付ける及び／又は少なくとも部分的に前記突出部（２１）の後に係合する又は前記溝（２２）内に係合する、少なくとも一つの保持リブ又は一つの保持突出部（２３）を有する、
ことを特徴とする請求項１乃至７のいずれか一つに記載の装置。
【請求項９】
高さを縮小する所定の複数の破壊点（２４）は少なくとも一つの前記保持リブに形成されている、ことを特徴とする請求項８に記載の装置。
【請求項１０】
前記互換インサート（４）は略Ｕ字型に構成されて、前記Ｕ字の一方の脚は保持リブ（２３）として構成されて、前記Ｕ字型の他方の脚は支持リブ（１５）として構成されている、
ことを特徴とする請求項１乃至９のいずれか一つに記載の装置。
【請求項１１】
二つの前記脚は前記ウェブ（１４）により接続されて、各々の前記脚は所定の破壊点（２４）を有する、ことを特徴とする請求項１０に記載の装置。
【請求項１２】
前記互換インサート（４）は少なくとも一つ穴（２５）を有し、前記互換インサート（４）を取付手段（２６）によって床カバー（２）の直線の縁（１）に取り付ける、
ことを特徴とする請求項１乃至１１のいずれか一つに記載の装置。
【請求項１３】
前記互換インサート（４）はレールガイドシステム（３３、３４）によって前記基礎形状に保持される、ことを特徴とする請求項１から３のいずれか一つに記載の装置。
【請求項１４】
前記レールガイドシステムは断面が球状であるレール構成（３３）である、ことを特徴とする請求項１３に記載の装置。
【請求項１５】
前記レールガイドシステムはあり継ぎ（３４）である、ことを特徴とする請求項１３に記載の装置。
【発明の詳細な説明】
【技術分野】
【０００１】
本発明は、床カバーの形状部（profiling）が設けられている縁を、床カバーを画定する（delimiting）形状構成（profile construction）に取り外し可能に取り付ける装置に関し、形状構成とは、特に、傾斜したステップ形状（angular step profile）を含むステップ段鼻形状（step nosing profile）とステップに取り付けられることができる基礎形状（base profile）とであって、傾斜したステップ形状は、カバーウィング（covering wing）を含むステップ脚（step leg）と止め脚（stop leg）とを有する。
【背景技術】
【０００２】
従来技術では、床カバーの縁に設けられて、床カバーが縁で床から外れてしまうことを保護する形状構成が周知である。床カバーの縁は特定の応力にさらされており、なぜならば、もし保護されてなければ、容易に後へ押されてしまう。従って、形状構成が重要部分に使用されて、例えば、階段の段鼻（stair nosings）又は他の床カバーへの移行部の上で適用される。
【０００３】
欧州特許７７３３３５号は二つの要素を有するステップ段鼻形状を開示しており、二つの要素とは、即ち、傾斜したステップ形状及び基礎形状である。傾斜したステップ形状にはステップ脚が形成されており、その自由端にはステップカバー（step covering）用のカバーウィングを有する。傾斜したステップ形状は、基礎形状の上に配置されて、ステップの縁の領域（edge region）に取り付けられることができて、ステップ脚から９０度で下方へ突出する止め脚を有し、その間の空間（spacing）に別のウェブも有する。傾斜したステップ形状が取り付けられた後、ステップカバーには所定の程度でカバーウィングが重ねられて、それによってステップカバーの縁が上に持ち上げられたり又は後へ押されたりすることを確実に防止できる。
【０００４】
特にステップカバーが一定の程度後に押されてカバーウィングの外縁がカバー内に若干食い込むことができるようになると、この装置は良好に動作し、よってカバーの表面と傾斜したステップ形状との間に目立つ接合が形成されることを防止する。寄木張り床（parquet floor）又は貼り合わせ床カバーの場合、周辺領域にカバーウィング用の適切に加工された（milled-out portion）部分が設けられていなければ床カバー内へ食い込む可能性はない。しかしながら、建設現場では、これは難しい状況のもとでしか可能でないか又は不可能である。
【発明の概要】
【発明が解決しようとする課題】
【０００５】
従って、本発明の目的は、床カバーを形状構成に取り付ける装置を提供することであり、その装置により、取付接続部（attachment joint）なしで、床カバーの形状部が設けられた縁が確実にそして永久的に保持されることができる。
【課題を解決するための手段】
【０００６】
上記の目的は本発明の互換インサートにより達成され、互換インサート（interchangeable insert）は形状レール（profile rail）として構成されて、前記互換インサートは前記形状構成から取り外し可能に及び前記形状構成に対して適当な位置に適合可能に配置されて、前記インサートの、二つの互いに対向する長手方向の縁の少なくとも一つに、保持器（retainer）が構成されて、前記保持器は前記床カバーの前記縁の前記形状部と協力して、前記形状部と少なくとも部分的に補完するように構成されている。形状部を設けられている床カバーの縁が補完的保持器と協力できるということは、床カバーの自由な縁（free edge）をしっかりと保持できることができ、自由な縁は床から持ち上がり得ることが防止される。
【０００７】
有利な構成では、前記互換インサートは前記ステップ脚と前記基礎形状との間に完全に又は部分的に配置されて、前記互換インサートの二つの互いに対向する長手方向の前記縁にさねはぎ（tongue and groove joints）のさまざまな形状部に使用されるさまざまな複数の保持器を有する。この特定の構造（arrangement）は、互換インサートがステップ段鼻形状に確かにそして変更不可能に位置決めされることを提供する。
【０００８】
特に有利な構成では、前記互換インサートはロックによって前記形状構成に保持されている。その結果、最初に互換インサートを形状構成の中へ挿入して、そして床カバーの縁を取り付けるか、又は縁形状（edge profile）との接合（join）を最初に作り、その後形状構成と接合を作ることが選択的に可能となる。
【０００９】
この点において、前記互換インサートが、前記補完的保持器の領域に前記ロックの一部として、前記基礎形状及び／又は前記ステップ脚に対してアンカー（anchorage）を有すれば有利である。これにより、床カバーが、装置に対して、変化することができないことが確実になる。
【００１０】
前記互換インサートには、少なくとも一つの支持リブが有利に備えられて、前記支持リブはその自由支持縁にロック係合（lock engagement）を有し、前記ロック係合は前記基礎形状の対応するロック係合と協力する。この支持リブはステップ脚又はカバーウィングの領域にある傾斜したステップ形状を支持することができ、そのためステップ脚が踏みつぶされないよう（trodden down）になる。このリスクがあるわけは、本発明では、ステップ脚はもはや床カバーに重なることがなく、単にその縁に至るだけで、もはやその上には支持されない。ロックは、固定的な位置決定（positional fixing）を生じて、そのため互換インサートが滑らないようになる。
【００１１】
前記支持リブには、水平の力を吸収するために使用されるウェブが有利に構成されて、前記ウェブには前記補完的保持器が結合されている（adjoined）。その結果、床カバーに作用する力は、補完的保持器及びウェブ、更には支持リブを介して、装置内へ取り入れることができる。
【００１２】
好適な構成では、前記互換インサートはアルミニウム又はプラスチック材料から連続鋳造の形状（strand cast profile）として製造される。上記の結果、費用効果の高い製造が可能となる。
【００１３】
床カバーの縁の形状部及びよってその対応する部分的に補完的な保持器は、部分的または全体にさねはぎのある種類として構成されることができ、さねはぎ面に対して顕著である少なくとも一つの突出部を有し、及び溝を有する。
【００１４】
この点において、前記補完的保持器は、前記さねはぎを上方へ取り付ける、及び／又は少なくとも部分的に前記突出部の後に係合する、又は前記溝内に係合する、少なくとも一つの保持リブ又は一つの保持突出部を有すると有利である。この種の構成は有利に設けられることができて、高さを縮小する所定の複数の破壊点は少なくとも一つの前記保持リブ又は保持突出部に形成されている。この点において、配送の状態では、保持リブは、従来の形状の厚さ又は適当な厚さに概して対応する高さを有することができる。さねつぎの形状の特定の構成によっては、この保持リブは、溝内に嵌まり係合できるまで、又は突出部の後で係合できるまで、高さを縮めることができて、従って確実なアンカーを形成できる。さねつぎが、通常の突出リブの形のさねを有する場合でも、互換インサートに形成された保持リブは床カバーの周辺領域をさねに対して支持される範囲で固定することができて、その間に、下方へ向けた圧力を生じることができる。
【００１５】
特に簡易な構成の一つでは、前記互換インサートは略Ｕ字型に構成されて、Ｕ字の一方の脚は保持リブとして構成されて、Ｕ字型の他方の脚は支持リブとして構成されている。本実施例では、両方の前記脚は前記ウェブにより接続されている。この点において、両方の前記脚が所定の破壊点を有することが好ましいことがあり、それにより脚は床カバーの高さに適応できて、従って異なる形状構成に使用することができる。
【００１６】
最後に、別の代替の実施例では、前記互換インサートは穴を有することが可能であり、前記互換インサートを取付手段によって床カバーの直線の縁に取り付けることができる。上記は、即ち、床カバーは縁に突出する形状部を含まず、滑らかな端面を含む場合である。
【００１７】
更に有利な実施例では、前記互換インサートはレールガイドシステム（rail guide system）によって前記基礎形状に保持されることが可能である。従って、互換インサートは基礎形状と事前に組み立てられることができて、互換インサート及び基礎形状を含む一つの部品のみが管理されればよいため取り扱いは簡易化される。
【００１８】
前記レールガイドシステムは断面が球状であるレール構成（rail arrangement）であるのが好ましい。しかし、前記レールガイドシステムにあり継ぎ（dovetail joint）を設けても有利である。接続の両方の種類は、互換インサートと基礎形状との間に簡単、軽量、迅速、及び安定した接合を提供できる。あり継ぎと比較して球状の形状が有利であるのは耐衝撃性（impact-resistant）である形状に見られて、理由は設置の際に縁又は角が損傷することがないからである。他方、あり継ぎは製造が簡単で、それに応じて費用も減少することを意味する。
【００１９】
更に、球状の形状の場合、互換インサートは圧力がかけられて基礎形状内にある補完的溝の中へ押し込まれることができて、それで互いに関連している個々の要素は必然的に滑りばめ（snug fit）を見つけるため正確な位置決めは必要でない。
【図面の簡単な説明】
【００２０】
【図１】図１は、本発明に係る、ステップ段鼻形状として構成されて、カチリと嵌まる（clicked-in）床カバーを有する装置を示している。
【図２ａ】図２ａは、図１の詳細１を示している。
【図２ｂ】図２ｂは、図１の詳細２を示している。
【図２ｃ】図２ｃは、図１の詳細３を示している。
【図３】図３は、床カバーが別の形状部を有する、ステップ段鼻形状に使用される本発明の別の実施例を示している。
【図４】図４は、床カバーの縁の次の形状部を有する次の実施例を示している。
【図５】図５は、穴を有する略Ｕ字型の互換インサートの斜視図である。
【図６】図６は、図５の互換インサートが床カバーと使用するときに設置された状態を示して、その周辺の縁（peripheral edge）は直線の端面を有している。
【図７】図７は、水平で、略Ｕ字型の互換インサートを有する次の実施例を示している。
【図８】図８は、溝側（groove side）用及びさね側（tongue side）用に両側の形状部（bilateral profiling）を有する互換インサートの実施例を示している。
【図９】図９は、さまざまな種類の形状部に使用される両側の形状部を有する互換インサートの実施例を示している。
【図１０】図１０は、基礎形状に互換インサートを取り付けるための各種のシート（seats）を示している。
【発明を実施するための形態】
【００２１】
図１は、床カバー２の縁１を形状構成３に取り外し可能に取り付ける装置を示している。床カバーは、互いに接合される要素を有し、さねはぎ機構（tongue and groove system）のようにその要素の縁に形状部が設けられて、それによって個々の要素の固定された接続を保証する。図示された実施例では、形状構成３はステップ段鼻形状であって、傾斜したステップ形状７とステップ８の踏み面（tread）に取り付けられることができる基礎形状９とを有する。傾斜したステップ形状７はカバーウィング１１を含む略水平なステップ脚１０と縦に延長する止め脚１２とを有する。
【００２２】
止め脚１２には形状部１２’が設けられており、形状部１２’は基礎形状９の先端縁（leading edge）の対応する形状部１２’’と協力する。傾斜したステップ形状７はその下方側に止めリブ２７が設けられて、止めリブは基礎形状９から上方へ突出している対応リブ２８に対して寄りかかる（rest）ようになる。ロック２９が二つのリブの間に形成されている。従って、傾斜したステップ形状７は基礎形状９にあらゆる高さで係合されることができて、その結果床カバー２の厚さに適合させることができる。
【００２３】
本発明によると、ステップ段鼻形状として構成されている形状構成３は、形状レールとして構成されている互換インサート４を有し、インサート４は形状構成３に対して取り外し可能にそして形状構成３に対してその位置に適合可能に配置される。更に、互換インサート４には保持器６が構成されて、保持器６は床カバー２の縁１の形状部５と少なくとも部分的に補完して、二つの互いに対向する長手方向の縁の一つが床カバー２の縁１の形状部５と協力する。
【００２４】
下記により詳細に記載されている更なる実施例に示されるように、保持器６は、プロフィリング５又はさねはぎ（tongue and groove joint）の輪郭（contour）に部分的にのみ補完するように適合できるように構成されることもできる。
【００２５】
図示されている実施例では、形状部は特定のさねはぎ１９の一部であり、そのさね（tongue）１９’は床カバー２の縁に前方へ突出している。形状部５は溝も有し、その結果床カバーの縁に肩（shoulder）が形成されている。この肩には突出部２１が形成されて、突出部はさねはぎ面（tongue and groove plane）２０に渡り出っ張る。溝２２が突出部２１の下流側に形成されている。図１に記載の実施例では、互換インサート４の補完的保持器６は、その輪郭がさねはぎ１９の対応品（counterpart）と対応するように構成されている。図２Ｃの詳細IIIから解るように、よって保持器６は床カバーに面しているその自由端に保持突出部２３（retaining projection）を有し、保持突出部は突出部２１を包囲して、さねはぎ１９内の溝２２と係合する。
【００２６】
詳しくは、互換インサート４はレール又は個々の部品として使用できる形状を有する。特に図１から解るように、形状の上に形成されている保持器はステップ段鼻形状に面しているその側面（sides）が上方へ延長して、そのようにすることでさね１９’の周りに係合する。そしてウェブ１４は水平方向へ概して延長して、その上に支持リブ１５（supporting rib）が形成されて、支持リブ１５はウェブ１４上に略直角で保持器６から間隔を置いて配置される。
【００２７】
支持リブ１５はその自由な支持縁１６にロック係合１７’（locking engagement）を有し、それは基礎形状９上の対応するロック係合１７’’と協力する。
【００２８】
図１に記載の図示されている実施例では、互換インサート４の形状はステップ脚１０と基礎形状９との間に部分的に配置されて、二つの互いに対向する長手方向の縁の一つに補完的保持器６として構成されているインサート４の領域が床カバー２内へ突出する。従って、溝２２内への係合の結果、突出しているさね１９’を基準として、床カバー２内に後に設定されている（set back）突出部２１の後で係合している。
【００２９】
互換インサート４は形状構成３に取り外し可能に接合されて、その上にロック１３により保持される。図示された実施例では、ロック１３は形状構成の三点にて係合する。これらの点は図１の詳細Ｉ、ＩＩ、ＩＩＩにて特定されて、対応する図２ａから図２ｃに図示されている。
【００３０】
図２ａでは、詳細Ｉは拡大した尺度で再現されている。この実施例では、互換インサート４のウェブ１４はステップ脚１０及びカバーウィング１１の下で概して平面に寄せかける（rest）ようになる。ステップ脚１０の領域では、ウェブ１４はロックリブを含むロック１３と対応して形成されたロック溝とを有する。図示されている実施例では、ロックリブはウェブ１４に形成されて、従ってロック溝はステップ脚の下方側に形成されている。このロックは、支持リブ１５の概して上部に好ましくは配置されて、リブ１５はウェブ１４から縦に下方へ突出している。
【００３１】
図２ｂは詳細ＩＩを示し、支持リブ１５の下端部分にロック１３が配置されて示されている。支持リブ１５の支持縁（supporting edge）１６にはロック係合１７’が設けられて、１７’は基礎形状９の表面上の対応するロック係合１７’’と協力する。ロック係合１７’、１７’’も噛み合っているときにロック１３がウェブ１４に係合するように、位置の測定値は選択されている。
【００３２】
図２ｃでは、三つ目のロック１３が、詳細ＩＩＩに図示されている。この場合、互換インサート４は、補完的保持器６の領域内のロックの一部として、アンカー１８（anchorage）を有し、基礎形状上のロック溝ではアンカー突出部（anchoring projection）用に係合部（engagement）を提供している。更に又は代わりに、互換インサート４はステップ脚１０にアンカー１８を有することが可能である（図示しない）。
【００３３】
三点のアンカーの結果、傾斜したステップ形状が基礎形状にロックされているときに互換インサート４が床カバーの形状と係合していることとは関係なく、互換インサート４は独立して位置に確実に保持される。この点において、互換インサート４の形状がステップ脚１０と基礎形状９との間に圧力をかけながら締められているロック位置（locking position）を選択することが可能である。互換インサート４のロックのため、ウェブ１４は、補完的保持器６及び支持リブ５を介して、床カバーから、ステップ段鼻形状構成３内へ導入される水平の力を吸収することが可能である。
【００３４】
特定の実施例では、アンカー１８のリブは示されているよりも長い長さであっても良い。支持リブ１５は、アンカー１８として使用されている下方へ突出しているリブのように、所定の破壊点を設けられることが可能であり、それにより高さを低くする、又は床カバーの厚さに適合されることを可能にする。
【００３５】
図３は本発明の次の実施例を示している。この実施例では、図１の装置と同様の機能を実施する要素には、同じ参照番号を付している。
【００３６】
この実施例では、互換インサート４は略Ｌ字型形状に形成されて、ウェブ１４はステップ脚の下で寄りかかるのではなく、基礎形状９の概して真上に配置される。支持リブ１５はステップ脚１０の下で基礎形状９の上に支持されて、ロック１３又はロック係合１７’及び１７’’により再度支持される。ウェブ１４は床カバーの縁のさねはぎ１９の方向へ延長して、その自由端にウェブを有し、ウェブは補完的保持器６として概して縦に上方に立っている。このウェブは、さねはぎ１９に設けられている溝２２の後に係合する。保持器６のこのウェブの下にはロック１３のアンカー１８が形成されており、それによりこの実施例でも三点での保持が保証される。ステップ脚１０に対する支持には、ウェブ延長部として機能する更なる保持リブ６’’がさねはぎ１９のさねに位置されることが可能である。
【００３７】
図４は、取り外し可能な互換インサート４の次の実施例を示している。同じ参照番号を有する特徴は、同一の機能を有する図１の特徴と対応している。
【００３８】
この変形例も概してＬ字型形状である互換インサート４を用いているが、Ｌ字型形状のウェブ１４を形成している基礎脚（base leg）はステップ脚１０又はカバーウィング１１の下に寄りかかることになり、ロック又はアンカー１３によってステップ脚１０に対して保持される。下方へ突出している支持リブ１５は基礎形状９上に下方ロック１３により支持されている。この場合、補完的保持器６は下方に突出する保持リブ６’’として構成されて、リブ６’’は、所定の破壊点２４にて、図４の点線で示されている、余分な長さを切り取る（breaking off）ことにより適当な測定値に縮小されている。この様にすることによって、ウェブはさねはぎ構成の形状部５に対して寄りかかることになり、カバーが上に持ちあげられことを防止する。
【００３９】
図５及び図６は本発明の更なる実施例を示している。同じ参照番号の特徴は、図１に記載のものに対応している。
【００４０】
図５の実施例に示されている、互換インサート４の形状は、概してＵ字型であるか又は本明細書に記載の形のＵ字形状として構成されて、Ｕ字型の一方の脚は保持リブとして構成されて、Ｕ字型の他方の脚は支持リブ１５として構成されている。この場合、保持器６の下方へ突出している保持リブ６’’は支持リブ１５の長さと同じである。互換インサートはステップ段鼻形状にＵ字型形状の縁に構成されているロック１３によりまた固定されて（anchored）、ロック１３は基礎形状９の上にあるステップ脚１０又はカバーウィング１１の下の対応するロックリブ（locking ribs）と協力する。しかしながら、この形状では、Ｕ字型形状の両足を貫通する穴２５も形成されて、穴はねじを受け入れるように用いられて、それによって互換インサートは床カバーの直線の縁の端面に固定されることが可能である。
【００４１】
図６に示すように、この実施例は特に縁１の場合に使用されて、その側面には形状部が設けられていない。このような互換インサート４は床カバー２の異なる高さにも容易に適合させられ得るのは、ウェブ１４により互いに接合されている下方へ突出しているＵ字型の脚は、必要に応じて、所定の破壊点２４にて適当な高さに動かすことできるからである。
【００４２】
従って、保持器の本実施例は、カバーウィング１１を床カバーに適用して、当り縁（abutment edge）を形成しなくても、平滑な周辺面を有する床カバーを保持するために適切であり、また図４によると、凹凸付きさねはぎ継ぎされた縁（tongue and groove-joined edges）に使用するのにも適切であり、この場合床カバーに面している保持リブ６’’は所定の破壊点２４にて適当な測定値に縮小されて、対応するさねが縮小された保持リブ６’’に寄りかかる又はそれに接して寄りかかる（rest against）ように支持されることを可能にする。
【００４３】
このようなねじ接続は図４の接合に使用することも可能であると理解されて、その場合突出しているさねはねじの領域で取り外されることが可能である。
【００４４】
図５は、更に穴２５’を示しており、穴２５’はＵ字型形状が縦の位置ではなく水平の位置で使用されるときに使用することが可能であり、図７を参照せよ。ロック１３は、水平な位置でも、ステップ脚１０の下及び基礎形状９の上にある対応するロック溝に係合するように構成されている。この実施例では、Ｕ字型形状の水平な脚はさねはぎ構成に渡り係合でき、床カバーの縁に対して両方の脚又は一つの脚のみで当たることができる。
【００４５】
図７に示されている接合は、穴２５’を含む図５に示されている実施例を使用しており、穴２５’はＵ字型の互換インサートの基礎（base）に概して対称面に（in the plane of symmetry）設けられている。脚２７及び２８はさねはぎのさねの周りに係合して、床カバーの縁の実際の側面に接して寄りかかるようになり、脚を短くすることによりさねの幅を考慮することも可能になる。
【００４６】
図８は、互換インサート４の更なる実施例を示している。互換インサートの本実施例では、形状部が溝側用及びさね側用にそれぞれの場合に形状の長手側面に形成されて、互換インサートが形成される。従って、職人（craftsperson）が溝側又はさね側がステップ段鼻形状に接して寄りかかるかを考える必要もなく、形状部の種類（nature）とは関係なく互換インサートを使用することが可能である。
【００４７】
図９は、さまざまな種類の床カバーにあるかもしれないさまざまな種類の形状部３１及び３２に使用される両側の形状部（bilateral profiling）を有する互換インサート４の実施例を示している。
【００４８】
最後に、図１０は、例示として、互換インサート４を基礎形状に取り付けるための別々のレールガイドシステム３３、３４を示している。この種のレールガイドシステムは、ロック又はアンカーを置き換える。
【００４９】
例ａ）のシートは、支持リブ１５に概して部分的に円筒形のロック突出部３３’を有し、３３’は基礎形状９内の補完溝（complementary groove）３３’’内へ圧力をかけて押し込まれる。ネック（neck）３５が対応して細く構成されている場合、互換インサートを横から基礎形状の中へ挿入することも可能である。
【００５０】
例ｂ）の実施例ではありつぎ３４が設けられて、ありつぎ３４では、基礎形状９にありつぎガイド（dovetail guide）３４’’が形成されて、支持リブ１５にあり（dovetail）３４’が形成されている。両方の実施例では、互換インサートは確実にそして常に適当な位置に配置されている。
【００５１】
図に示されている、実施例の寸法は、実際の寸法に必ずしも対応する必要はないと理解される。従って、例えば、図８及び図９の実施例の場合、互換インサートの寸法はステップ脚の下の空間を適切に考慮するように注意しなければならない。
【００５２】
また更に、図１から図４に示されている形状構成はロック接合に限定されることはなく、図１０に示されるように、傾斜したステップ７及び基礎形状９の間のねじ接続を使用する構成も含む。
【図１】
0005638607.tif 000002
【図２ａ】
0005638607.tif 000003
【図２ｂ】
0005638607.tif 000004
【図２ｃ】
0005638607.tif 000005
【図３】
0005638607.tif 000006
【図４】
0005638607.tif 000007
【図５】
0005638607.tif 000008
【図６】
0005638607.tif 000009
【図７】
0005638607.tif 000010
【図８】
0005638607.tif 000011
【図９】
0005638607.tif 000012
【図１０】
0005638607.tif 000013